(57)【特許請求の範囲】
【請求項１】
共通のシステム負荷に電力を供給するために、複数の各電源ユニットの出力を並列接続することにより電源セットを形成し、
前記電源セットの前記複数の各電源ユニットは、前記システム負荷の電力需要に基づき作動するための複数の電力モードを有するように構成され、
前記複数の電力モードは、互いに電流量が異なるアクティブモード及び複数の非アクティブモードから構成され、且つ互いに作動順序が異なるレベルを有し、
前記電源セットの少なくとも１つの電源ユニットは、前記システム負荷に必要な電力を供給するために、アクティブモードで作動することによりアクティブ電源セットを形成する、ことからなる方法であって、
前記複数の非アクティブモードには、ウォッチモード、スリープモード及びオフモードがあり、ウォッチモードはスリープモードより上位の電力モードのレベルを有すると同時により多くの電力を消費し、スリープモードはオフモードより上位の電力モードのレベルを有すると同時により多くの電力を消費し、
アクティブモードにある少なくとも１つの電源の最適作動の上限しきい値を超える前記システム負荷の電力需要変動に対応するために、既にアクティブモードにある前記少なくとも１つの電源ユニットに加えて、非アクティブモードにある少なくとも１つの電源ユニットを追加の電源ユニットとしてアクティブモードへ移行させることを必要とするような追加のイベントトリガーが、オブザベーションモジュールにより検出された場合、前記電源制御モジュールは、非アクティブモードにある残りの各電源ユニットを夫々の電力モードのレベルよりも１段上位の電力モードのレベルへ移行させることを特徴とする方法。
【請求項２】
追加のイベントトリガーを検出するステップと、
前記追加のイベントトリガーが検出された際に、前記アクティブ電源セットの電源ユニットの電力モードを下位にさせるステップとをさらに備える、請求項１に記載の方法。
【請求項３】
前記アクティブ電源セットの使用率が、前記追加の電源を下位の電力モードで動作させることによって増加される、請求項１に記載の方法。
【請求項４】
前記追加の電源の電力モードは前記アクティブモードに上げられ、前記追加の電源は、前記アクティブモードである場合に、前記アクティブ電源セットに含まれている、請求項１に記載の方法。
【請求項５】
前記追加の電源の電力モードが上げられた際に、前記アクティブ電源セットの電源の使用率が前記電源の定格のしきい値許容範囲内にある、請求項３に記載の方法。
【請求項６】
前記イベントトリガーは、上限しきい値を超える増加したシステム負荷で構成される、請求項１に記載の方法。
【請求項７】
前記上限しきい値は、前記アクティブ電源セットのすべての電源ユニットの全体の電力容量に同等である、請求項６に記載の方法。
【請求項８】
前記追加のイベントトリガーは、下限しきい値を下回る減少したシステム負荷によって構成される、請求項２に記載の方法。
【請求項９】
前記下限しきい値は、前記アクティブ電源セットにおける電源ユニットの数より１つ小さい値でサポート可能である、請求項８に記載の方法。
【請求項１０】
前記電力モードは、アクティブモード、ウォッチモード、スリープモード、およびオフモードのうちの少なくとも１つで構成される、請求項１に記載の方法。
【請求項１１】
前記アクティブモードは、前記追加の電源が前記システム負荷に電力を供給することを可能にする、請求項１０に記載の方法。
【請求項１２】
前記ウォッチモードにおいては前記アクティブモードにおけるよりも、消費電力は少なく、前記スリープモードにおいては前記ウォッチモードにおけるよりも、消費電力は少なく、さらに、前記オフモードにおいては前記スリープモードにおけるよりも、消費電力は少ない、請求項１１に記載の方法。
【請求項１３】
共通のシステム負荷に電力を供給するために、複数の各電源ユニットの出力を並列接続することにより電源セットが形成され、
前記電源セットの前記複数の各電源ユニットは、前記システム負荷の電力需要に基づき作動するための複数の電力モードを有するように構成され、
前記複数の電力モードは、互いに電流量が異なるアクティブモード及び複数の非アクティブモードから構成され、且つ互いに作動順序が異なるレベルを有し、
前記電源セットの少なくとも１つの電源ユニットは、前記システム負荷に必要な電力を供給するために、アクティブモードで作動することによりアクティブ電源セットを形成し、メモリ；
前記メモリの複数記憶位置を指定するように構成されることにより、非アクティブモードとアクティブモード間の切り替え、及び非アクティブモード間の切り替えを行なうプロセッサ；を含む電源制御モジュールと、及び
前記電力モード間の切り替えを行なうための追加のイベントトリガーを検出するオブザベーションモジュールと、から構成される電源システムであって、
前記複数の非アクティブモードには、ウォッチモード、スリープモード及びオフモードがあり、ウォッチモードはスリープモードより上位の電力モードのレベルを有すると同時により多くの電力を消費し、スリープモードはオフモードより上位の電力モードのレベルを有すると同時により多くの電力を消費し、
アクティブモードにある少なくとも１つの電源の最適作動の上限しきい値を超える前記システム負荷の電力需要変動に対応するために、既にアクティブモードにある前記少なくとも１つの電源ユニットに加えて、非アクティブモードにある少なくとも１つの電源ユニットを追加の電源ユニットとしてアクティブモードへ移行させることを必要とするような追加のイベントトリガーが、オブザベーションモジュールにより検出された場合、前記電源制御モジュールは、非アクティブモードにある残りの各電源ユニットを夫々の電力モードのレベルよりも１段上位の電力モードのレベルへ移行させることを特徴とする、電源システム。
【請求項１４】
オブザベーションモジュールを使用して、追加のイベントトリガーを検出し、前記電源制御モジュールを使用して、前記追加のイベントトリガーが検出された際に、前記アクティブ電源セットの電源ユニットの電力モードを下位にする、請求項１３に記載の電源システム。
【請求項１５】
前記電源セットの使用率が、下位の電力モードで前記追加の電源ユニットを動作させることによって増加する、請求項１３に記載の電源システム。
【請求項１６】
前記追加の電源ユニットの電力モードが前記アクティブモードに上げられ、前記追加の電源ユニットが、前記アクティブモードにある際に、前記アクティブ電源セットに含まれる、請求項１３に記載の電源システム。
【請求項１７】
前記アクティブ電源セットの電力の使用率が、前記追加の電源ユニットの電力モードが前記アクティブモードに上げられた際に、前記電源の定格のしきい値許容範囲内にある、請求項１５に記載の電源システム。
【請求項１８】
前記イベントトリガーは、上限しきい値を超える増加したシステム負荷によって構成される、請求項１３に記載の電源システム。
【請求項１９】
アクティブ電源セットを使って、システム負荷に電力を提供するステップを備え、前記アクティブ電源セットは、アクティブモードの電源を備え、前記アクティブ電源セットの使用率は、下位の電力モードにおいて追加の電源ユニットを動作させることによって増加し、さらに
アクティブ電源セットの全体の電力容量の上限しきい値を超えて増加したシステム負荷によって構成されるイベントトリガーを検出するステップを備え、前記全体の電力容量は、前記アクティブ電源セットの各電源ユニットの電力定格の合計で構成され、さらに
前記イベントトリガーが検出された際に、前記追加の電源の電力モードをアクティブモードに上げるステップと、
前記アクティブ電源セット内に追加の電源ユニットを含めるステップと、
前記追加の電源ユニットの電力モードが上位にされた際に、前記電源の定格のしきい値範囲内で、前記アクティブ電源セットの電源ユニットを利用するステップと、
前記アクティブ電源セットの電源ユニットの数より１つ小さい値でサポート可能である、下限しきい値を下回る、減少したシステム負荷によって構成される追加イベントトリガーを検出するステップと、
前記追加のイベントトリガーが検出された際に、前記アクティブ電源セットの電源ユニットの電力モードを下位にするステップと、を備える方法。
【請求項２０】
前記全体の電力容量は、前記アクティブ電源セットの各電源ユニットの電力定格の合計で構成され、前記電力モードは、アクティブモード、ウォッチモード、スリープモード、およびオフモードのうちの少なくとも１つによって構成される、請求項１９に記載の方法。
【発明の詳細な説明】
【技術分野】
【０００１】
この開示は一般的には電気技術に関し、より詳しくは、イベントトリガーを使用したアクティブ電源セットの適応に関する。
【背景技術】
【０００２】
冗長電源システムは、下限しきい値の電力レベルと上限しきい値の電力レベルを含む、ある範囲内のシステム負荷に対して電力を供給することが可能である。冗長電源システムは、冗長電源システムを構成する１つまたは複数の電源を通じて、負荷を分配することが可能である。負荷の分配は、１つまたは複数の電源を定格電力出力未満で使用する結果となることがあり、非効率な電力を発生する結果となる可能性がある。非効率的な電力の発生は、環境基準を満たさず、余分なリソースを消費し、電力の追加コストをもたらす結果となる可能性がある。
【発明の概要】
【０００３】
この概要は、発明の本質と実体とを簡単に示す、発明の概要を要請する３７米国特許法施行規則１．７３に準拠して提供されるものである。請求の範囲または意味を、解釈または制限することに使用されないという理解に基づいて提出されるものである。
【０００４】
イベントトリガーを使用したアクティブ電源セットの適応の方法とシステムを開示する。
【０００５】
代表的な実施形態による方法は、アクティブ電源セットを使用してシステム負荷に電力を提供するステップを含む。アクティブ電源セットは、アクティブモードの電源を含む。この方法はさらに、イベントトリガーを検出するステップと、イベントトリガーが検出された際に追加の電源の電力モードを上位にするステップとを含む。
【０００６】
代表的な実施形態は、電源システムを含む。電源システムは、システム負荷に電力を提供するアクティブ電源セットを含む。アクティブ電源セットはアクティブモードの電源を備えている。さらに、システムはイベントトリガーを検出するオブザベーションモジュールを含む。このシステムはまた、追加の電源を含む。さらに、このシステムは、イベントトリガーが検出された際に、追加の電源の電力モードを上位にする電力制御モジュールを含む。
【０００７】
代表的な実施形態による方法は、アクティブ電源セットを使用してシステム負荷に電力を提供するステップを含む。アクティブ電源セットは、アクティブモードの電源を含む。アクティブ電源セットの使用率は、追加の電源を下位の電力モードで作動することによって、増加する。さらに、この方法は、アクティブ電源セットの全体の電力容量を上限しきい値を超えて増加したシステム負荷増加を含むイベントトリガーの検出を含む。全体の電力容量は、アクティブ電源セットの各ユニットの定格電力の合計を含む。
【０００８】
この方法は、また、イベントトリガーが検出された際に、アクティブモードに対する追加の電源の電力モードを上位にするステップも含む。さらに、この方法は、アクティブ電源セットにおける追加の電源を含めるステップも組み込んでいる。この方法はさらに、追加の電源の電力モードが上位にされた際に、電源の定格のしきい値の制限の許容範囲内で設定されたアクティブ電源セットの電源を利用するステップを含む。さらに、この方法は、アクティブ電源セット内の電源ユニットの数より１つ少ないユニット数でサポート可能な下限しきい値を下回る低下したシステム負荷により構成される追加イベントトリガーを検出するステップとを含む。この方法はさらに、追加のイベントトリガーが検出された際に、アクティブ電源セットのユニットの電力モードを下位にするステップを含む。
【０００９】
ここに開示されている方法、システム、および装置は、さまざまな局面を達成するために、いかなる手段をも使って実行することができ、機器によって実行された時に機器がここに開示されている動作のいずれかを実行することを引き起こす一連の命令を具体化する機械可読の媒体の形態において実行することが可能である。その他の特徴については、付属の図面と以下の詳細な説明により明らかにされる。
【図面の簡単な説明】
【００１０】
例示する実施形態は、付属の図面において例として示されるものであり、限定としてではない。図面においては類似した参照は類似の要素を示す。
【００１１】
【図１Ａ】図１Ａは、１つの実施形態において、イベントトリガーが検出された際に起こる、追加の電源の電力モードの上位化を示すシステム図である。
【図１Ｂ】図１Ｂは、１つの実施形態において、イベントトリガーが検出された際に起こる、追加の電源の電力モードの上位化を示すシステム図である。
【図２Ａ】図２Ａは、１つの実施形態において、追加のイベントトリガーが検出された際に起こる、アクティブ電源セットのユニットの電源モードの下位化を示すシステム図である。
【図２Ｂ】図２Ｂは、１つの実施形態において、追加のイベントトリガーが検出された際に起こる、アクティブ電源セットのユニットの電源モードの下位化を示すシステム図である。
【図３】図３は、１つの実施形態において、システムの負荷電力レベルに対応して、複数のモードを使用して提供される電力を示すグラフである。
【図４】図４は、１つの実施形態において、異なるモードでの電源の状態を示す表である。
【図５】図５は、１つの実施形態において、異なるモード、関連したシステム負荷レベル、および、ヒステリシスウィンドウを示すグラフである。
【図６】図６は、１つの実施形態において、電力モードの上位化と下位化を示すプロセスフローである。
【図７】図７は、１つの実施形態において、電源の管理を示すプロセスフローである。
【００１２】
本実施形態におけるその他の特徴は、付属の図面と以下の詳細な説明により明らかにされる。
【発明を実施するための形態】
【００１３】
イベントトリガーを使用した、アクティブ電源セットの適応の方法とシステムを開示する。
【００１４】
本実施形態は特定の例示による実施形態によって記述されてはいるが、様々な実施形態のより広範な趣旨と範囲から逸脱することなく、様々な修正および変更をこれらの実施形態に行なうことができることは明らかであろう。
【００１５】
図１Ａおよび１Ｂは、１つの実施形態において、イベントトリガーが検出された際に、追加の電源の電力モードの上位化を示すシステム図である。特に、図１Ａと１Ｂは、１つの実施形態において、電源１００Ａ−Ｎ、システム負荷１０２、オブザベーションモジュール１０４、電源制御モジュール１０５、イベントトリガーデータ１０６、および、アクティブ電源セット１０８を示す。
【００１６】
オブザベーションモジュール１０４は、電源１００Ａ−Ｎとシステム負荷１０２とに結合することが可能である。電源制御モジュール１０５は、電源１００Ａ−Ｎに結合することが可能である。電源１００Ａ−Ｎは互いに結合し、かつシステム負荷１０２に結合することが可能である。アクティブ電源セット１０８は、オンモードとほぼ同等であり得るアクティブモードにある電源１００Ａ−Ｎの１つまたはそれ以上を含むことが可能である。電源１００Ａ−Ｎは並列結合することが可能である。
【００１７】
電源１００Ａ−Ｎはシステム負荷１０２のための、電流と電圧源であり得る。各々の電源１００Ａ−Ｎは、オン、ウォッチ、スリープ、およびオフを含むいくつかの状態のいずれかで作動が可能である。各々の電源１００Ａ−Ｎは、その定格電力容量の０％〜１００％の間で利用されることが可能である。電源１００Ａ−Ｎは、電源の製造元の設計許容範囲に依存し得るが、その定格電力容量の１００％を超えて使用することが可能である。１つの実施形態においては、電源１００Ａ−Ｎは、一般的に言って、その発電が電力定格に近づくに従い効率が向上し、その電力定格をはるかに下回る電力を生成する場合には効率が減少する電子機器である。追加の１つの実施形態においては、電源１００Ａ−Ｎは、発電がその電力定格を超えて大幅に増加するにつれて効率が減少する電子機器である。
【００１８】
１つの実施形態においては、アクティブ電源セット１０８の一部である、各々の電源１００Ａ−Ｎは、システム負荷１０２へ電力を提供する。アクティブ電源セット１０８の電源１００Ａ−Ｎはその定格容量の０％から１００％の間の電力を供給することが可能である。この１つの実施形態においては、電力を実質的に１００％提供する電源１００Ａ−Ｎの数が増加するにつれ、電源システムによる発電の効率が向上する。
【００１９】
システム負荷１０２は、１つ以上のサーバー、ファン、ハードドライブ、プロセッサ、ディスプレイ、カメラ、およびその他の機器などのハードウェアによって利用される電力であることが可能である。システム負荷１０２は時間がたつにつれて増加または減少することができ、使用される電力を変数λで表現することが可能である。システム負荷１０２によって利用される電力はλとΔの間で変化し得て、図１Ａから図１Ｂへの移行は、システム負荷１０２によって利用される電力がλからΔへの増加１１０を表現し得る。
【００２０】
１つの実施形態においては、電源１００Ａは、アクティブ電源セット１０８の一部であり得る。電源１００Ａはアクティブな状態を有することができ、また、電源１００Ａの定格出力を利用するしきい値システム負荷と低システム負荷との間のシステム負荷１０２に電力を供給することが可能である。追加のシステム負荷に対しては、追加の電源１００Ｂによって電力供給を行うことが可能である。追加のシステム負荷のレベルはオブザベーションモジュール１０４によって感知することが可能である。
【００２１】
オブザベーションモジュール１０４はセンサー回路、スイッチ、リレー、および、その他の、オブザベーションモジュール１０４がイベントトリガーを検出することを可能にする機器を含み得る。イベントトリガーデータ１０６は、システム負荷１０２の状態の変化、例えば、λからΔへの変化、を含むことが可能である。イベントトリガーデータ１０６は電源１００Ａ−Ｎの状態、または電源の１００Ａ−Ｎ定格出力の使用のレベルを含み得る。
【００２２】
電力制御モジュール１０５は、センサー回路、スイッチ、リレー、および、イベントトリガーが検出された際に電力制御モジュール１０５が追加の電源の電力モードを上位にすることを可能にする他の機器を含み得る。追加のイベントトリガーが検出された際に、電力制御モジュール１０５は、アクティブ電源セットのユニットの電力モードを下位にすることが可能である。電源制御モジュール１０５はハードウェアまたはソフトウェアであり得るし、また、各々の電源１００Ａ−Ｎに対しては、その内部または外部に存在し得る。
【００２３】
実施形態の一例においては、システム負荷１０２のレベルはλであり得る。電源１００Ａは、その定格出力の５８％をシステム負荷１０２に提供するアクティブな状態であることが可能である。ある時点で、システム負荷１０２がλからΔへ増大し、アクティブ電源セット１０８の定格出力の全体を超えることがあり得る。オブザベーションモジュール１０４は、システム負荷１０２のλからΔへの変化を含み得る、イベントトリガーデータ１０６を受信することが可能である。イベントトリガーデータ１０６は電源１００Ａ−Ｎの状態と、各々の電源１００Ａ−Ｎの現在の電力出力レベルを含むことが可能である。イベントトリガーは、アクティブ電源セットの実質的にすべてのユニットの全体の電力容量に実質的に同等であり得るしきい値を超える、増加したシステム負荷１０２であり得る。
【００２４】
イベントトリガーデータ１０６がオブザベーションモジュール１０４によって受信された後、電源１００Ａの状態はアクティブな状態にあり続け、その電力出力は定格電力容量の５８％から１００％に増加することが可能である。電源１００Ａは定格電力容量の１００％において、５８％においてよりも、電力をより効率的に提供することが可能である。電源１００Ｂの状態は、ウォッチモードからアクティブモードに上位化し、レベルΔにあり得るシステム負荷１０２に電力を提供することが可能である。電源１００Ｂの使用率は定格出力の０％から３４％に上昇することが可能である。
【００２５】
この実施形態においては、イベントトリガーがオブザベーションモジュール１０４によって検出された後、電源１００Ｃの状態はスリープモードから、ウォッチモードに変化することができる。電源１００Ｎの状態はオフモードとして残ることが可能である。ウォッチモードは、電源１００Ａ−Ｎが、システム負荷に電力を供給するアクティブモードに移行することを可能にし得る。ウォッチモードはスリープモードより上位であることが可能であり、このスリープモードはオフモードよりも上位であることが可能である。ウォッチモードは、アクティブモードよりも少ない電力を消費し、スリープモードよりも多くの電力を消費することが可能である。スリープモードはオフモードよりも多くの電力を消費するすることが可能である。ウォッチモードとアクティブモードとの間の移行に要する時間は、スリープモードとウォッチモードとの間の移行に要する時間よりも少ないことが可能である。スリープモードとオフモードとの間の移行に要する時間は、スリープモードとウォッチモードとの間の移行に要する時間よりも大きいことが可能である。各々のモードの間の移行に必要な時間は異なり得て、電源は１つのモードから別のモードに直接移行することができる。電源モードに関する追加の情報を図４のように示すことができる。
【００２６】
電源１００Ａ−Ｎの状態を上位にすることによって、システム負荷１０２に電力を供給することを可能にし得る。電源１００Ａ−Ｎの状態を下位にすることにより、それを無効化し、エネルギーを節約することが可能である。電源１００Ａ−Ｎを有効化または無効化することは、順番に、あるいは同時に起こり得る。電源の出力は、ＯＲｅｄ出力で、システム負荷１０２に結合することがある。並列電源間の移行は、直線的に起こる、突然起こる、あるいは、動的に起こる場合がある。
【００２７】
アクティブ電源セット１０８の電源の使用率は、追加の電源の電力モードが上位化された際に、電源１００Ａ−Ｎの定格のしきい値の許容範囲内であり得る。１つの実施形態においては、１つ以上の電源１００Ｂ−Ｎ電力モードにおいて上位化された場合に、電源１００Ａはその定格出力の２５％以内で電力を供給することができる。１つの実施形態においては、アクティブ電源セット１０８の使用率は、追加の電源を下位の電力モードで作動することによって増加することができる。たとえば、電源１００Ｂの出力が３４％であっても、電源１００Ａの使用率は定格出力の１００％であり得る。
【００２８】
図２Ａと図２Ｂは、１つの実施形態において、追加のイベントトリガーが検出された際に、アクティブ電源セット１０８のユニットの電力モードの下位化を示すシステム図である。特に、図２Ａと図２Ｂは、電源１００Ａ−Ｎ、システム負荷１０２、オブザベーションモジュール１０４、イベントトリガーデータ１０６、アクティブ電源セット１０８、および１０２システム負荷１０２のαからβへの減少１１２を１つの実施形態において示す。
【００２９】
実施形態の一例において、図２はシステム負荷１０２がαからβへ減少する例を示す。図２Ａでは、システム負荷１０２αは電源１００Ａ−Ｃを使用することが可能である。アクティブ電源セット１０８は、電源１００Ａ、電源１００Ｂ、および、電源１００Ｃを含み得る。電源１００Ａ−Ｂは、定格電源出力の１００％であり得る全作動状態で作動することができる。電源１００Ｃは、システム負荷１０２αのレベルを満たす残りの２０％を提供することが可能である。残りの電源１００Ｄは使用の際に作動するように準備し、ウォッチモードであることが可能である。
【００３０】
図２Ｂで、システム負荷１０２αは、イベントトリガーデータ１０６に含まれ得る、低いシステム負荷レベルβに下がることが可能である。イベントトリガーデータ１０６を感知すると、オブザベーションモジュール１０４は、電源１００Ｃをウォッチモードに切り替え、電力出力を定格出力容量の０％に削減することが可能である。電源１００Ｂはアクティブモードで、その定格出力の６８％を供給することができる。残りの電源は、スリープモード、または、非アクティブモードにしておくことができる。
【００３１】
図３は１つの実施形態において、システムの負荷電力レベルに対応し、複数のモードを使用して提供される電力を示すグラフである。特に、図３は、１つの実施形態において、電力３１２、システム負荷電力レベル３１４、モードＩ３１６、モードＩＩＩ３１８、モードＩＩＩ３２０、モードＩＶ３２２、および、ヒステリシスウィンドウ３２４を示す。
【００３２】
実施形態の一例において、示されているモードは４つの電源ユニット用のものである。Ｎ個の電源ユニットのシステムについても同じ概念を使用できる。１つの実施形態において、図３の電源１００Ａ−Ｎが作動され得る異なるモードの真理値表は図４に示される。別の実施形態では、より少ないモードを使用し得る。たとえば、１つの実施形態においては、アクティブ、ウォッチ、オフモードを使用することが可能である。または、１つの実施形態においては、アクティブモードと低電力モード（これらはウォッチ、スリープ、あるいは、オフであり得る）のみを使用することができる。アクティブモードは、図４に関して説明されたオンモードと実質的には同じであり得る。
【００３３】
１つの実施形態においては、システム負荷レベルの０％から２５％の間の電力を提供するために、モードＩ３１６が使用され得る。システム電力レベルの２５％から５０％の間の電力を提供するために、モードＩＩ３１８が使用され得る。システム負荷電力レベルの５０％から７５％の間の電力を提供するために、モードＩＩＩ３２０が使用される。システム負荷電力レベルの７５％から１００％の間の電力を提供するために、モードＩＶ３２２が使用される。その他の実施形態においては、各々のモードの電力容量と望ましいヒステリシスのウィンドウサイズによって、さまざまなモードの間で、いかなるシステム負荷電力レベル３１４のしきい値も使用することが可能である。
【００３４】
システム負荷電力レベル３１４が増加するにつれ、モードＩ３１６とモードＩＩ３１８の間の移行は、システム負荷レベル３１４の約２５％で起こり得る。モードＩＩ３１８とモードＩＩＩ３２０との間の移行は、システム負荷レベル３１４の５０％で、また、モードＩＩＩ３２０とモードＩＶ３２２間の移行は７５％で起こり得る。
【００３５】
システム負荷電力レベル３１４が減少するにつれ、モードＩ３１６とモードＩＩ３１８の間の移行は、システム負荷電力レベル３１４の約２０％で起こり得る。モードＩＩ３１８とモードＩＩＩ３２０の間の移行はシステム負荷電力レベル３１４の４５％で、また、モードＩＩＩ３２０とモードＩＶ３２２間の移行は７０％で起こり得る。
【００３６】
ヒステリシスウィンドウ３２４は、システム負荷電力レベル３１４の２０〜２５％、４５〜５０％、および７０％〜７５％の間で存在し得る。ヒステリシスウィンドウ３２４の上限レベルは、そのモードでアクティブな電源１００Ａ−Ｎの定格電力出力が満たされる上限しきい値を表わし得る。上限しきい値は、アクティブ電源セット１０８の実質的にすべてのユニットの、全体の電力容量に実質的に同等であり得る。
【００３７】
ヒステリシスウィンドウ３２４の下位レベルは、システム負荷電力レベル３１４がアクティブ電源セット１０８における電源ユニットの数より１つ少ないユニットでサポート可能である、下限しきい値を表わし得る。言い換えれば、下限しきい値は、システム負荷電力レベル３１４を供給する十分な電力を提供しつつ、アクティブ電源セット１０８から電源１００Ａ−Ｎの１つが取り除かれ得る電力レベルを表わし得る。
【００３８】
ヒステリシスウィンドウ３２４はシステム負荷電力レベル３１４を、モードの変更をトリガーすることなく、上限と下限のしきい値の間を変動することを可能にし得る。たとえば、第１のモードは上限のしきい値に到達するまで、システム負荷電力３１４に電力供給を行い、上限のしきい値に到達した時点で第２のモードをアクティブ化して、システム負荷電力レベル３１４に追加の電力を供給するという場合がある。第２のモードは、ヒステリシスウィンドウ３２４の下限しきい値に達するまで、電力をシステム負荷電力レベル３１４に提供し続けることが可能である。ヒステリシスウィンドウ３２４の下限しきい値はヒステリシスウィンドウ３２４の上限しきい値よりも低いことがあり得る。
【００３９】
ヒステリシスウィンドウは図５からより良く理解することが可能である。
【００４０】
図４は１つの実施形態による、異なるモードでの電源状態を示す表である。特に、図４では、１つの実施形態によるモードと電源の欄を示すものである。図４は、図３に図示されたグラフについての真理値表を示し得る。モードＩ３１６では、電源１００Ａはオン、電源１００Ｂはウォッチモード、電源１００Ｃはスリープモード、電源１００Ｄはオフであり得る。モードＩＩ３１８では、電源１００Ａはオン、電源１００Ｂはオン、電源１００Ｃはウォッチモード、電源１００Ｄはスリープモードであり得る。モードＩＩＩ３２０では、電源１００Ａ、電源１００Ｂおよび電源１００Ｃはオン、電源１００Ｄはウォッチモードであり得る。モードＩＶ３２２では、すべての電源１００Ａ−Ｄがオンであり得る。
【００４１】
図５は１つの実施形態による、異なるモード、関連したシステム負荷レベル、およびヒステリシスウィンドウを示すグラフである。具体的には、図５は、モードＩ３１６、モードＩＩ３１８、モードＩＩＩ３２０、モードＩＶ３２２、上限しきい値５２６、および、下限しきい値５２８を示す。図３および図４は、一つの実施形態によるシステム負荷１０２のレベルに基づくモード変更を示す。下限しきい値５２８はシステム負荷電力レベル３１４の２０％、４５％、および、７０％であり得る。上限しきい値５２６はシステム負荷電力レベル３１４の２５％、５０％、および７５％であり得る。
【００４２】
システム負荷電力レベル３１４が増加するにつれ、モードＩ３１６とモードＩＩ３１８間の移行はシステム負荷レベル３１４の約２５％において起こり得る。モードＩＩ３１８とモードＩＩＩ３２０間の移行はシステム負荷レベル３１４の５０％において、モードＩＩＩ３２０とモードＩV３２２間の移行は７５％において起こり得る。システム負荷電力レベル３１４が減少するにつれ、モードＩ３１６とモードＩＩ３１８間の移行はシステム負荷レベル３１４の約２０％において起こり得る。モードＩＩ３１８とモードＩＩＩ３２０間の移行はシステム負荷レベル３１４の４５％において、モードＩＩＩ３２０とモードＩＶ３２２間の移行は７０％において起こり得る。
【００４３】
システム負荷電力要求３１４の増減に伴い、電源システムのモードレベルは、動的かつ自動的に、上限しきい値５２６と下限しきい値５２８に従って変化し得る。モードの移行は、線形かつ、順番におこり得る。
【００４４】
図６は、１つの実施形態による、電力モードの上位化と下位化を示すプロセスフローである。動作６０２では、アクティブ電源セット１０８を使用して、システム負荷１０２に電力を提供することができる。アクティブ電源セット１０８はアクティブモードにおける（例えば、図１と２に示すように）電源を含み得る。動作６０４では、イベントトリガーが検出されることが可能である。イベントトリガーは、オブザベーションモジュール１０４によって分析されるイベントトリガーデータ１０６を使用して検出されることができる。動作６０６では、イベントトリガー（例えば、図１に示すように)が検出された際に追加の電源１００Ｂ−Ｎの電力モードが上位にされ得る。動作６０８では、追加のイベントトリガーが検出されることが可能である。動作６１０では、追加のイベントトリガー（例えば、図２に示すように)が検出された際に、アクティブ電源セット１０８のユニットの電力モードを下位にすることが可能である。
【００４５】
図７は、１つの実施形態による電源の管理を示すプロセスフローである。動作７０２では、アクティブ電源セット１０８を使って、システム負荷１０２に電力を提供することができる。アクティブ電源セット１０８はアクティブモードにある１つ以上の電源を含み得る。アクティブモードは図４に示されたオンモードと実質的に同じであり得る。アクティブ電源セット１０８の使用率は、下位の電力モードで追加の電源を作動することによって増加することが可能である。動作７０４では、アクティブ電源セット１０８の全体の電力容量を上限しきい値５２６だけ超える、増加したシステム負荷１０２を含むイベントトリガーを検出することが可能である。全体の電力容量は、アクティブ電源セット１０８の各ユニットの電力定格の総計であり得る。動作７０６では、イベントトリガーが検出された際に、追加の電源１００Ｂの電力モードがアクティブモードに上げられ得る。動作７０８では、追加の電源１００Ｂはアクティブ電源セット１０８に含まれることが可能である。動作７１０では、追加の電源の電力モードが増加した際に、アクティブ電源セット１０８の電源は、電源の定格のしきい値の許容範囲内で利用されることが可能である。動作７１２では、アクティブ電源セット１０８における電源ユニットの数より１つ小さい値でサポート可能な下限のしきい値の制限５２８を下回る減少したシステム負荷を含む追加のイベントトリガーが検出され得る。動作７１４では、追加のイベントトリガーが検出された際に、アクティブ電源セット１０８のユニットの電力モードを下位にすることが可能である。
【００４６】
本実施形態は特定の実施形態の例によって記述されてはいるが、様々な実施形態のより広範な趣旨と範囲から逸脱することなく、様々な修正および変更をこれらの実施形態に行なうことができることが明らかであろう。例えば、ここに記述された、様々な機器、モジュール、分析装置、発電機、等は、ハードウェア回路（例えば、CMOSベースの論理回路)、ファームウェア、ソフトウェア、ならびに／または、ハードウェア、ファームウェアおよび／もしくはソフトウェア（例えば、機械読み取り可能なメディアで具体化された)の任意の組み合わせを使って、有効化し、動作させることができる。例えば、様々な電気的構造と方法を、トランジスタ、論理ゲート、電気回路（例えば、アプリケーションに特定の集積回路（ＡＳＩＣ)、および／またはデジタル信号プロセッサ（ＤＳＰ）回路）を使用して具体化することができる。
【００４７】
特に、オブザベーションモジュール１０４と電力制御モジュール１０５は、ソフトウェアを用い、かつ／またはトランジスタ、論理ゲート、ならびに電気回路（例えば、アプリケーションに特定の集積回路ＡＳＩＣ)、たとえば観測回路、センサー回路、スイッチ、およびその他の回路を使用して有効化することができる。
【００４８】
さらに、ここで開示された様々な動作、プロセス、および方法は、機械可読媒体および／またはデータ処理システム（例えば、コンピュータシステム）と互換性のあるマシンアクセス可能な媒体において具体化され、かつ、任意の順序で実行することが可能である（様々な動作を実現するための手段を用いることを含む）ことが理解されるであろう。したがって、明細書及び図面は、限定的なものとしてではなく、例示的ものとしてみなされるべきである。
【図１Ａ】
0005351331.tif 000002
【図１Ｂ】
0005351331.tif 000003
【図２Ａ】
0005351331.tif 000004
【図２Ｂ】
0005351331.tif 000005
【図３】
0005351331.tif 000006
【図４】
0005351331.tif 000007
【図５】
0005351331.tif 000008
【図６】
0005351331.tif 000009
【図７】
0005351331.tif 000010